(57)【要約】      （修正有）【課題】袋詰玄米の出し入れが容易な玄米用冷蔵庫を提供する。【解決手段】冷却装置と袋詰玄米Ｒを出し入れ可能な前面開口部２ａとを有する冷蔵庫本体２と、前面開口部を閉塞可能な外扉３と、袋詰玄米を載置可能な載せ台５と、外扉よりも冷蔵庫本体内側に立設された内扉４を備え、内扉は冷蔵庫本体手前に倒すことができ、載せ台は冷蔵庫本体内からその手前に倒した内扉上までスライド可能であり、内扉に載せ台を案内する内扉ガイドを設けたものである。載せ台には移動車輪を設けてもよい。冷蔵庫本体内に内扉ガイドと連通する載せ台ガイドを設けてもよい。倒した内扉の高さを調節可能な高さ調節機構を設けてもよい。起立した内扉の上部が冷蔵庫本体内側に傾斜するようにしてもよい。内扉に載せ台の引き出し過ぎを防止するストッパーを設けてもよい。載せ台ガイド及び内扉ガイドの夫々をレール又は溝とすることができる。【選択図】図４
0003158702.tif 000002
【実用新案登録請求の範囲】
【請求項１】
冷却装置を備え且つ袋詰玄米を出し入れ可能な前面開口部を有する冷蔵庫本体と、前面開口部を閉塞可能な外扉と、袋詰玄米を載置可能な載せ台と、前記外扉よりも冷蔵庫本体内側に立設された内扉を備え、
前記内扉は冷蔵庫本体の手前に倒すことができ、
前記載せ台は冷蔵庫本体内から冷蔵庫本体の手前に倒した内扉の上まで引き出しできるように往復スライド可能であり、
前記内扉は、その上に引き出す載せ台を案内する内扉ガイドを備えたことを特徴とする玄米用冷蔵庫。
【請求項２】
請求項１記載の玄米用冷蔵庫において、
載せ台に移動車輪が設けられたことを特徴とする玄米用冷蔵庫。
【請求項３】
請求項１又は請求項２記載の玄米用冷蔵庫において、
冷蔵庫本体内に載せ台を案内できる載せ台ガイドを設け、
前記載せ台ガイドは載せ台を冷蔵庫本体の手前に倒すと内扉ガイドと連通することを特徴とする玄米用冷蔵庫。
【請求項４】
請求項１乃至請求項３のいずれかに記載の玄米用冷蔵庫において、
内扉に、冷蔵庫本体の手前に倒した内扉の高さを調節可能な高さ調節機構を設けたことを特徴とする玄米用冷蔵庫。
【請求項５】
請求項１乃至請求項４のいずれかに記載の玄米用冷蔵庫において、
内扉は、冷蔵庫本体内へ収納すると、上部が冷蔵庫本体の内側に傾斜するように設けられたことを特徴とする玄米用冷蔵庫。
【請求項６】
請求項１乃至請求項５のいずれかに記載の玄米用冷蔵庫において、
内扉に、その上に引き出される載せ台の引き出し過ぎを防止できるストッパーが設けられたことを特徴とする玄米用冷蔵庫。
【請求項７】
請求項１乃至請求項６のいずれかに記載の玄米用冷蔵庫において、
前記載せ台ガイド及び内扉ガイドの夫々がレール又は溝であることを特徴とする玄米用冷蔵庫。
【考案の詳細な説明】
【技術分野】
【０００１】
本願考案は玄米、特に袋詰めされた玄米の保管に適する玄米用冷蔵庫に関するものである。
【背景技術】
【０００２】
玄米は１０ｋｇ、２０ｋｇ、３０ｋｇ等の各種重量ごとに袋詰めされて販売され、購入者宅内の玄米用冷蔵庫に玄米袋ごと保管され、少量ずつ精米されて消費されている。袋詰めされた玄米（以下、「袋詰玄米」という。）を保管するための低温貯蔵庫（玄米用冷蔵庫）の一例として、冷却装置を備えた冷蔵庫本体の前面開口部から袋詰玄米を出し入れできるようにしたものがある（特許文献１）。
【先行技術文献】
【特許文献】
【０００３】
【特許文献１】特開平１１−３３７２４３号公報
【考案の概要】
【考案が解決しようとする課題】
【０００４】
従来の玄米用冷蔵庫に袋詰玄米を出し入れする場合、袋詰玄米を持ち上げて冷蔵庫内に押し込み、冷蔵庫内に腕を入れて袋詰玄米を取り出さなければならない。袋詰玄米は数十ｋｇもの重量があるため、年配者や子供といった力の弱い者にとっては困難な作業であった。特に、取り出すときは無理な前傾姿勢が強いられるため力の強い人にとっても大変であった。
【０００５】
本願考案の解決課題は、楽な姿勢で、弱い力でも、手軽に袋詰玄米を冷蔵庫内に出し入れすることができる玄米用冷蔵庫を提供することにある。
【課題を解決するための手段】
【０００６】
本願考案の玄米用冷蔵庫は、請求項１記載のように、冷却装置を備え且つ袋詰玄米を出し入れ可能な前面開口部を有する冷蔵庫本体と、前面開口部を閉塞可能な外扉と、袋詰玄米を載置可能な載せ台と、前記外扉よりも冷蔵庫本体内側に立設された内扉を備え、前記内扉は冷蔵庫本体の手前に倒すことができ、前記載せ台は冷蔵庫本体内から冷蔵庫本体の手前に倒した内扉の上まで引き出しできるように往復スライド可能であり、前記内扉は、その上に引き出す載せ台を案内する内扉ガイドを備えたものである。
【０００７】
本願考案の玄米用冷蔵庫は、請求項２記載のように、載せ台に移動車輪を設けることもできる。
【０００８】
本願考案の玄米用冷蔵庫は、請求項３記載のように、冷蔵庫本体内に載せ台を案内できる載せ台ガイドを設け、載せ台ガイドは載せ台を倒すと内扉ガイドと連通するようにすることもできる。
【０００９】
本願考案の玄米用冷蔵庫は、請求項４記載のように、内扉に、冷蔵庫本体の手前に倒した内扉の高さを調節可能な高さ調節機構を設けることもできる。
【００１０】
本願考案の玄米用冷蔵庫は、請求項５記載のように、内扉は、冷蔵庫本体内へ収納すると上部が冷蔵庫本体の内側に傾斜するようにすることもできる。
【００１１】
本願考案の玄米用冷蔵庫は、請求項６記載のように、内扉に、その上に引き出される載せ台の引き出し過ぎを防止できるストッパーを設けることもできる。
【００１２】
本願考案の玄米用冷蔵庫は、請求項７記載のように、前記載せ台ガイド及び内扉ガイドの夫々をレール又は溝とすることができる。
【考案の効果】
【００１３】
本願考案の玄米用冷蔵庫には次のような効果がある。
（１）冷蔵庫本体の手前に倒した内扉の上に載せ台を引き出すことができるため、袋詰玄米が載せられている載せ台を内扉の上に引き出せば、袋詰玄米を無理なく手軽に取り出すことができ、内扉の上に引き出した載せ台の上に袋詰玄米を載せれば、袋詰玄米を無理なく手軽に冷蔵庫本体内に収納でき、袋詰玄米の出し入れが容易になる。
（２）載せ台に移動車輪を設けたので、載せ台のスライドが容易になり、力の弱い年配者や子供でも使用し易い。
（３）内扉は冷蔵庫本体の前面開口部の手前に立てることできるため、外扉を閉めるのに邪魔にならない。
（４）内扉に高さ調節機構があるため、倒した内扉を冷蔵庫本体の高さと揃え易く、揃えれば載せ台の移動が安定し、引き出し易くなる。
（５）冷蔵庫本体の前面開口部の手前に立てた内扉の上部が冷蔵庫本体の内側に傾斜するので、外扉を開けた際に内扉が不用意に外に倒れることが無く安全である。
（６）内扉に載せ台の引き出し過ぎを防止できるストッパーを設けたので、載せ台が倒した内扉の先方から飛び出す危険が無い。
（７）載せ台ガイドと冷蔵庫本体の前面開口部の外側に倒した内扉ガイドが連通するようにしたので、冷蔵庫本体内の載せ台を、倒した内扉の上に引き出し易い。
（８）載せ台ガイドと内扉ガイドがレールであるため、載せ台の案内が確実になる。
【図面の簡単な説明】
【００１４】
【図１】本願考案の玄米用冷蔵庫の外扉を閉じた状態の斜視図。
【図２】本願考案の玄米用冷蔵庫の外扉を開けた状態の斜視図。
【図３】本願考案の玄米用冷蔵庫の内扉を倒した状態を示す斜視図。
【図４】本願考案の玄米用冷蔵庫の載せ台を引き出した状態を示す斜視図。
【考案を実施するための形態】
【００１５】
（実施形態１）
本願考案の玄米用冷蔵庫の実施形態について、図１〜４を参照しながら説明する。この実施形態の玄米用冷蔵庫１は、冷蔵装置６を備えた冷蔵庫本体２と、その冷蔵庫本体２に取り付けられた外扉３と、その外扉３よりも内側に立設された内扉４と、袋詰玄米Ｒを載置可能な載せ台５を備えるものである。
【００１６】
図１〜４に示す冷蔵庫本体２は袋詰玄米Ｒを横並びに２袋収納可能な直方体状の筐体であり、その背面に冷蔵装置６が設けられている（図４）。冷蔵庫本体２は直方体以外の形状でもよく、袋詰玄米Ｒを１袋収納可能な１袋用とすることも、３袋以上収納可能な３袋以上用とすることもできる。袋詰玄米Ｒを縦に積み重ねられる縦積みタイプのものであってもよい。前記冷蔵装置６は冷蔵庫本体２内を玄米の保管に適した温度に冷却できるものであり、既存の冷蔵庫に用いられるものを使用することができる。冷蔵庫本体２の奥面には冷蔵装置６と連通する通気口２２（図３）が設けられ、冷蔵装置６で生成された冷気が冷蔵庫本体２内に送り込まれるようにしてある。
【００１７】
冷蔵庫本体２奥面の通気口２２設置箇所の下方寄り箇所には、クッション２１（図４）が設けられている。クッション２１は通気口２２よりも冷蔵庫本体２の内側に突出して設けられ、前記載せ台５が通気口２２に接触して通気口２２が破損しないようにしてある。クッション２１はゴム、樹脂、スプリング等の弾性のある材質製とするのが衝撃緩和の面から好ましい。クッション２１の取付け個数や取付け箇所も載せ台５や冷蔵庫本体２の大きさ（縦幅、横幅、高さ）、重さ等に合わせて任意に選択することができる。
【００１８】
冷蔵庫本体２の前面には袋詰玄米Ｒを出し入れするための前面開口部２ａが設けられている。その前面開口部２ａの外側には、前面開口部２ａを開閉するための外扉３が連結具７を介して開閉可能に取り付けられ、図２の矢印方向に１８０度（又は１８０度以上）開けることができるようにしてある。外扉３の表面には開閉用取っ手８が設けられている。開閉用取っ手８は、既存の又は新規のものとすることができる。
【００１９】
冷蔵庫本体２の両外側面には冷蔵庫本体２を持ち上げて移動しやすいように、手掛け部９が設けられている。手掛け部９は開閉用取っ手８と同様のもの又は異なるものを使用することができる。冷蔵庫本体２の底には４本の脚１０が設けられて、底面が直に床面に接しないようにしてある。
【００２０】
冷蔵庫本体２の内底面には前記載せ台５を載置するための板状の台座１１が固定され、その台座１１の上面には載せ台５を前面開口部２ａ側へ案内するための二本の載せ台ガイド（内レール１２）が冷蔵庫本体２の奥側から前面開口部２ａ側に向けて平行に設けられている。図３に示すように、両内レール１２の開口部側の端部は斜め（４５度程度）に切除してある。
【００２１】
冷蔵庫本体２の内上面の開口部寄りの箇所には、前記内扉４を固定するための固定具１９が取り付けてある。固定具１９には内扉４が不用意に倒れるのを防止することができるもの、例えば、磁石や係止具を用いることもできる。固定具１９は場合によっては設けなくてもよい。
【００２２】
前記内扉４は、図２に示すように、冷蔵庫本体２の前面開口部２ａよりも一回り小さな板材である。内扉４はその下端側が、蝶番１３によって台座１１の前面開口部２ａ側端部に起立状態で取り付けられている（図２）。内扉４は、その上方を前面開口部２ａの外側に引くことによって、冷蔵庫本体２の手前外側に倒せるようにしてある（図３）。内扉４は外扉３を開けた際に不用意に倒れないように、その上部が冷蔵庫本体２の内側に傾斜して設けられている。内扉４の内側面の上方寄りの箇所には内扉側固定具２０が設けられ、起立状態で冷蔵庫本体２の固定具１９に固定されるようにしてある。固定具１９及び内扉用固定具２０は共に磁石とすると簡潔な構成で脱着が確実になる。
【００２３】
内扉４の内側面（倒した場合に上方を向く面）には二本の内扉ガイド（ガイドレール１６）が間隔をあけて平行に設けられている。ガイドレール１６の間隔は台座１１の上面に設けられた前記内レール１２と同じ間隔とし、内扉４を冷蔵庫本体２の外側に倒すと、内レール１２とガイドレール１６とが連通した一連の連通ガイドとなるようにしてある。内レール１２とガイドレール１６が互いに近接する端部１２ａ及び１６ａは斜め（４５度程度）に切除して、内扉４を起立させて冷蔵庫本体２内に収納する際に、互いが突き当たらないようにしてある。ガイドレール１６の他端はＬ字状に折り返され、内扉４の上まで引き出された載せ台５がガイドレール１６の先方から飛び出さないようにするためのストッパー１６ｂとしてある。
【００２４】
内扉４の外側面（倒した場合に床側を向く面）には、冷蔵庫本体２の底面の肉厚と同程度の肉厚を有するブロック状の高さ調節部１４（図２）が設けられている。高さ調節部１４は間隔をあけて平行に２本設けられている。高さ調節部１４の設置個数や間隔は、内扉４の大きさに応じて任意に変更することができる。両高さ調節部１４の床側面には、高さ調節機構、例えば、アジャスタ１５が間隔をあけて夫々２つずつ設けられている。アジャスタ１５の高さを調節することによって、内扉４の内側面に設けられた内レール１２と台座１１に設けられたガイドレール１６との間に段差ができないように高さ合わせすることができる。アジャスタ１５は既存の又は新規のものを使用することができる。
【００２５】
前記載せ台５は底板５ａと両側板５ｂと奥板５ｃとからなる引き出し状のものである。底板５ａ上には袋詰玄米Ｒを載置することができる。載せ台５の底面にはキャスタ１７が４つ取り付けてある。キャスタ１７は間隔をあけて２列に分かれて配置され、各列に２つずつ縦並びに配置されている。２列の間隔は前記内レール１２及びガイドレール１６と同じ間隔にしてある。載せ台５はキャスタ１７が内レール１２内に配置された状態で冷蔵庫本体２内に収納されている。底板５ａの前面側には引き出し用取っ手１８を取り付けて、引き出し用取っ手１８を把持して前面開口部２ａ側に引っ張ることによって、載せ台５を内レール１２及びガイドレール１６に沿って冷蔵庫本体２から倒した内扉４の上まで引き出せるようにしてある。キャスタ１７及び引き出し用取っ手１８は既存の又は新規のものを用いることができる。
【００２６】
（実施形態２）
前記実施形態１では、内扉４を冷蔵庫本体２の外側に倒して、載せ台を内扉４上まで引き出せるようにしてあるが、本願考案は他の構造によって実現することもできる。より具体的には、実施形態１における内扉４に代えて、台座１１の下方に収納可能な引き出し式の板材（以下、「補助台座」という。）を設けることができる。この場合も、内扉４同様、補助台座の表面にガイドレール１６を、裏面に高さ調節部１４及びアジャスタ１５を設けることができる。高さ調節部１４及びアジャスタ１５は、収納時に邪魔にならないよう、折りたたみ式とすることができる。
【００２７】
（その他の実施形態）
前記実施形態は本願考案の玄米用冷蔵庫の一例であり、前記ガイドレールに代えて既存のスライド手段を採用することもできる。例えば、電車の線路と車輪のような構造等とすることができる。前記実施形態では袋詰玄米Ｒを収納するための玄米用冷蔵庫を一例として説明しているが、収納物は袋詰玄米Ｒに限られず、袋詰めされた白米、五穀米、もち米等各種袋詰め製品であってもよい。
【００２８】
（使用例１）
袋詰玄米Ｒを玄米用冷蔵庫１内に収納するには次のようにする。
（１）外扉３を開けて内扉４を冷蔵庫本体２の外側に倒し、載せ台５を冷蔵庫本体２の外側まで引き出す。
（２）引き出した載せ台５に袋詰玄米Ｒを載せてから袋詰玄米Ｒの袋を手で押して載せ台５ごと冷蔵庫本体２内に収納する。
（３）その後、内扉４を起こして冷蔵庫本体内に収納し、外扉３を閉じる。
【００２９】
（使用例２）
玄米用冷蔵庫１内に収納された袋詰玄米Ｒを引き出すには次のようにする。
（１）外扉３を開けて内扉４を冷蔵庫本体２の外側に倒し、袋詰玄米Ｒの袋を手前に引いて載せ台５ごと冷蔵庫本体２の外まで引き出す。
（２）引き出した状態で袋詰玄米Ｒを袋ごと取り出し、あるいは袋の中から必要量だけ玄米を取り出す。
【産業上の利用可能性】
【００３０】
本願考案に係る玄米用冷蔵庫１の構造は、灯油タンクや家庭菜園用の袋詰の土などを収納する収納庫に適用することもできる。
【符号の説明】
【００３１】
１      玄米用冷蔵庫
２      冷蔵庫本体
２ａ    前面開口部
３      外扉
４      内扉
５      載せ台
５ａ    底板
５ｂ    両側板
５ｃ    奥板
６      冷蔵装置
７      連結具
８      開閉用取っ手
９      手掛け部
１０    脚
１１    台座
１２    内レール
１２ａ  内レールの端部
１３    蝶番
１４    高さ調節部
１５    アジャスタ
１６    ガイドレール
１６ａ  ガイドレールの端部
１６ｂ  ストッパー
１７    キャスタ
１８    引き出し用取っ手
１９    固定具
２０    内扉側固定具
２１    クッション
２２    通気口
Ｒ      袋詰玄米
【図１】
0003158702.tif 000003
【図２】
0003158702.tif 000004
【図３】
0003158702.tif 000005
【図４】
0003158702.tif 000006